(57)【要約】  本発明は、紙プラスチック袋カッティング・シーリング設備分野に属し、具体的には、紙プラスチック袋カッティング・シーリング一体機のカッティング装置に係わり、水平変位駆動機構と連結された摺動フレームと、カッターとを含み、摺動フレームは上板と後板が連結されて成り、摺動ブロックは連結軸を介して後板上に取り付けられ、かつ連結軸に沿って前後に摺動可能であり、長手方向に沿って、連結軸上に前後２つの係止溝が設けられており、摺動ブロック上には、最低位置が摺動ブロックの底面より低いカッターが取り付けられており、摺動ブロック上にはバネ位置決め柱が取り付けられ、バネ位置決め柱の頂端は摺動ブロックの連結軸の軸孔の孔壁を貫通して連結軸に当接している。本カッティング装置は、構造設計に優れ、実際の需要に基づいて、便利に、スピーディにカッターの位置を調節することができるので、紙プラスチック袋カッティング・シーリング一体機をシーリング位置の外側に番号が打たれている従来の紙プラスチック袋に適用させるだけでなく、シーリング位置の外側に番号を打つ必要のない紙プラスチック袋にも適用させることができ、また、カッティング過程での紙プラスチック袋材料の浪費を減らし、生産コストを引き下げている。
2019509901.tif 000002
【特許請求の範囲】
【請求項１】
水平変位駆動機構（１８）と連結された摺動フレームと、カッター（７）とを含む、紙プラスチック袋カッティング・シーリング一体機のカッティング装置において、
摺動フレームは上板（１）と後板（４）が連結されて成り、摺動ブロック（５）は連結軸（２）を介して後板（４）上に取り付けられ、かつ連結軸（２）に沿って前後に摺動可能であり、長手方向に沿って、連結軸（２）上に前後２つの係止溝（３５）が設けられており、摺動ブロック（５）上には、最低位置が摺動ブロック（５）の底面より低いカッター（７）が取り付けられており、摺動ブロック（５）上にはバネ位置決め柱（１０）が取り付けられ、バネ位置決め柱（１０）の頂端が摺動ブロック（５）の連結軸の軸孔の孔壁を貫通して連結軸（２）に当接していることを特徴とする、紙プラスチック袋カッティング・シーリング一体機のカッティング装置。
【請求項２】
前記水平変位駆動機構（１８）はプーリ伝動機構を採用しており、摺動フレームは上板（１）の上方に位置する上圧板をさらに含み、上圧板上には、プーリ伝動機構中の伝動ベルトと組み合わせるための取付溝（１２）が設置されており、プーリ伝動機構の伝動ベルトは上圧板と上板（１）の間に配置され、かつ固定部材によって上圧板が上板（１）と連結固定されていることを特徴とする、請求項１に記載の紙プラスチック袋カッティング・シーリング一体機のカッティング装置。
【請求項３】
前記プーリ伝動機構の後方には、水平シュート（２３）が設けられた基板（２２）が取り付けられており、摺動フレームの後板（４）の背面には摺動ブロックが設置され、摺動ブロックは水平シュート（２３）内に位置し、かつ水平シュート（２３）内でＸ軸方向に沿って左右に摺動可能であることを特徴とする、請求項２に記載の紙プラスチック袋カッティング・シーリング一体機のカッティング装置。
【請求項４】
前記上板（１）上には調整ボルト（３６）が取り付けられており、調整ボルト（３６）の上板（１）上方に位置する部分にはナット（３７）が取り付けられ、調整ボルト（３６）の下端が摺動ブロック（５）上に当接していることを特徴とする、請求項１に記載の紙プラスチック袋カッティング・シーリング一体機のカッティング装置。
【請求項５】
摺動ブロック（５）のＸ軸方向に沿った左右のいずれかの端面上にピン（１１）が設けられており、ピン（１１）に対応してピントグル機構が設けられていることを特徴とする、請求項１〜４のいずれかに記載の紙プラスチック袋カッティング・シーリング一体機のカッティング装置。
【請求項６】
前記ピントグル機構は、ピン牽引板（２１）と、カムと、モータ（１６）と、固定フレーム（１５）とを含み、モータ（１６）は固定フレーム（１５）上に取り付けられ、モータ（１６）の出力軸上にカムが取り付けられており、ピン牽引板（２１）はカムと組み合わされ、かつカムによってＹ軸方向の前後変位を実現しており、ピン牽引板（２１）のピン（１１）寄りの片端にはピン挿入溝孔（２７）が開設され、ピン挿入溝孔（２７）の孔径はピン（１１）の直径より大きく、Ｙ軸方向に沿って固定フレーム（１５）上に前後２つのリミットスイッチ（１４）が取り付けられ、両リミットスイッチ（１４）及びモータ（１６）がいずれも紙プラスチック袋カッティング・シーリング一体機の制御システムに連結されていることを特徴とする、請求項５に記載の紙プラスチック袋カッティング・シーリング一体機のカッティング装置。
【請求項７】
前記リミットスイッチ（１４）は接触スイッチを採用しており、ピン牽引板（２１）の上面に凹溝（２６）が開設され、ピン牽引板（２１）がＹ軸方向に沿って後ろ向きに後方の接触スイッチまで移動すると、前方の接触スイッチが上記凹溝（２６）内に位置することを特徴とする、請求項６に記載の紙プラスチック袋カッティング・シーリング一体機のカッティング装置。
【請求項８】
前記カムには偏心輪（３０）が採用されており、ピン牽引板（２１）上には偏心輪（３０）と整合する偏心輪孔が設けられ、偏心輪（３０）が軸受（２９）を介して偏心輪孔内に組み込まれていることを特徴とする、請求項６に記載の紙プラスチック袋カッティング・シーリング一体機のカッティング装置。
【請求項９】
前記ピン牽引板（２１）の摺動フレーム寄りの板面上には、固定部材を介してバネ（２８）の片端が固定されており、バネ（２８）の他端が紙プラスチック袋カッティング・シーリング一体機のケーシング上に取り付けられていることを特徴とする、請求項６に記載の紙プラスチック袋カッティング・シーリング一体機のカッティング装置。
【請求項１０】
紙プラスチック袋カッティング・シーリング一体機のケーシング上に斜め上向きの案内板（２５）及び光電スイッチ（２４）が取り付けられており、光電スイッチ（２４）は紙プラスチック袋カッティング・シーリング一体機の制御システムに連結されており、摺動フレームの案内板（２５）寄りの片側には外凸板（１３）があり、摺動ブロック（５）が、案内板（２５）に沿って、カッター（７）の切断面が紙プラスチック袋カッティング・シーリング一体機の紙送り装置（２０）内の紙プラスチック袋が存在する平面より高い位置まで移動すると、光電スイッチ（２４）が外凸板（１３）を感知することができることを特徴とする、請求項１、２、３、４、６、７、８または９に記載の紙プラスチック袋カッティング・シーリング一体機のカッティング装置。
【発明の詳細な説明】
【技術分野】
【０００１】
本発明は紙プラスチック袋カッティング・シーリング一体機のカッティング装置に係わり、紙プラスチック袋カッティング・シーリング装置の分野に属する。
【背景技術】
【０００２】
医療用のシーラは医療用消毒に幅広く応用され、連続シーリングなどの特徴を有している。
【０００３】
現在、市場には単独の紙プラスチック袋カッターや単独の紙プラスチック袋シーラがあるが、具体的な操作では、消毒機器ごとに長さ規格の異なる紙プラスチック袋を採用しなければならず、使用方法においては、まず紙プラスチック袋をカッターで切断し、その後、単独のシーラでシーリングしなければならないので、手軽に使えず、効率が低く、スペースを浪費するといった問題が存在していた。
【０００４】
その後、研究者がカッティング機能とシーリング機能が一体となった紙プラスチック袋カッティング・シーリング一体機を開発した。該一体機は、給紙装置（紙送り長さの調節可能）、カッティング装置、紙送り装置及びシーリング装置を含み、給紙装置の作用下で、紙プラスチック袋がＹ軸方向に沿って紙送り装置の上、下のベルトコンベアの間に進入し、カッティング装置がＸ軸方向に走行し（現在は通常、伝動ベルトでカッティング装置を走行させている）、紙プラスチック袋の材料をカッティングし、カッティングされた紙プラスチック袋が両ベルトコンベアのベルトに動かされてＸ軸方向に沿ってシーリング装置内に進入し、シーリングが行われる。つまり、該紙プラスチック袋カッティング・シーリング一体機により、紙プラスチック袋のカッティング、シーリングの一連の動作を実現することができるのである。
【０００５】
しかし、上記の紙プラスチック袋カッティング・シーリング一体機は、使用の過程で以下の欠点を有している。
【０００６】
現在、シーリングが必要な紙プラスチック袋は、通常、シーリング位置の外側にいずれも番号が打たれているので、シーリング位置と紙プラスチック袋の辺縁との間の距離は一般的に１〜４ｃｍであり、カッティング装置中のカッターの位置は比較的外寄りであるが、シーリング線の外側に番号を打つ必要のない紙プラスチック袋にとっては、シーリング位置と紙プラスチック袋辺縁との間の距離が明らかに大きすぎるので、紙プラスチック袋のカッティング過程で、大量の紙プラスチック袋材料を浪費してしまう。しかし、従来の紙プラスチック袋カッティング・シーリング一体機のカッティング装置は位置が固定されているので、カッターの位置を調節してシーリング位置と紙プラスチック袋辺縁の間の距離を小さくすることは困難である。
【発明の概要】
【発明が解決しようとする課題】
【０００７】
本発明で解決すべき技術的課題は、既存技術における不備を克服し、紙プラスチック袋カッティング・シーリング一体機のカッティング装置を提供することにより、実際の需要に基づいて、便利に、スピーディにカッターの位置を調節し、紙プラスチック袋材料の浪費を有効に減少させることである。
【課題を解決するための手段】
【０００８】
本発明の前記紙プラスチック袋カッティング・シーリング一体機のカッティング装置は、摺動フレームとカッターを含み、摺動フレームは水平変位駆動機構と連結され、水平変位駆動機構は紙プラスチック袋カッティング・シーリング一体機の制御システムに連結されており、摺動フレームは上板と後板が連結されて成り、摺動ブロックは連結軸を介して後板上に取り付けられ、かつ連結軸に沿って前後に摺動可能であり、長手方向（即ちＹ軸方向）に沿って、連結軸上に前後２つの係止溝が設けられている。カッターは摺動ブロック上に取り付けられて、摺動ブロックとともに移動し、カッターの最低位置は摺動ブロックの底面より低い。摺動ブロック上にはバネ位置決め柱が取り付けられており、バネ位置決め柱の頂端は、摺動ブロックの連結軸の軸孔の孔壁を貫通して連結軸に当接している。
【０００９】
本発明の前記カッティング装置では、摺動ブロックが連結軸に沿って前後（即ちＹ軸方向に沿って）摺動するので、カッターが摺動ブロックの作用下で前後の変位を実現することができ、摺動ブロックが摺動する過程では、バネ位置決め柱が常に受圧状態にあるので、摺動ブロックがいずれかの係止溝のある位置まで移動すると、バネ位置決め柱が自身の弾力作用により自ら該係止溝の中に跳び込み、摺動ブロックと摺動フレームの両者の位置を相対的に固定して、カッターの位置決めを実現する。バネ位置決め柱が連結軸後部の係止溝（即ち後板寄りの係止溝）内に係入されると、本カッティング装置を、シーリング位置の外側に番号が打たれている従来の紙プラスチック袋のカッティングに用いることができる。カッティングが必要な紙プラスチック袋のシーリング位置の外側に番号を打つ必要がない場合は、Ｙ軸方向に沿って前向きに摺動ブロックをトグルして、バネ位置決め柱を摺動ブロック後部の係止溝内から脱出させ、前部の係止溝（即ちカッター寄りの係止溝）内に進入させることで、摺動ブロック及びカッターの位置に対する調節を実現する。このように、カッティングする位置が前に移動すると、カッティング後の紙プラスチック袋上のシーリング位置と紙プラスチック袋辺縁との間の距離が小さくなり、従来の紙プラスチック袋カッティング・シーリング一体機におけるカッティング装置の位置の固定による紙プラスチック袋材料の大量浪費という難題を有効に克服し、生産コストを引き下げている。
【００１０】
好適には、前記水平変位駆動機構はプーリ伝動機構を採用しており、摺動フレームは、上板の上方に位置する上圧板をさらに含み、上圧板上には、プーリ伝動機構中の伝動ベルトと組み合わせるための取付溝が設置されており、伝動ベルトは上圧板と上板の間に配置され、かつ固定部材により上圧板と上板を連結固定しており、伝動ベルトがカッティング装置をＸ軸方向に沿って移動させることにより、紙プラスチック袋のカッティングを遂行する。
【００１１】
好適には、前記プーリ伝動機構の後方には、水平シュートが設けられた基板が取り付けられており、摺動フレームの後板の背面には摺動ブロックが設置され、摺動ブロックは水平シュート内に位置し、かつ水平シュート内でＸ軸方向に沿って左右に摺動可能であり、水平シュートは摺動フレームに対して良好な案内作用を果たす。
【００１２】
好適には、前記上板上には調整ボルトが取り付けられており、調整ボルトの上板上方に位置する部分にはナットが取り付けられ、調整ボルトの下端は摺動ブロック上に当接しており、調整ボルトによって摺動ブロックの位置を調節し、さらにカッターの高さを調整する作用も果たすことができる。
【００１３】
実際の使用過程では、人為的な手動操作により摺動ブロックをトグルすることで、カッター位置の変更を実現することができるが、もちろん、自動方式を採用してカッター位置を調節することもできる。具体的な手段は以下の通りである。
【００１４】
摺動ブロックのＸ軸方向に沿った左右のいずれかの端面上にピンを設け、ピンに対応してピントグル機構を設け、ピントグル機構によりピンをトグルすることにより、カッター位置の自動調節を実現することができる。本発明では、以下の構造形式のピントグル機構が望ましい。ピントグル機構は、ピン牽引板と、カムと、モータと、固定フレームを含み、モータは固定フレーム上に取り付けられ、モータの出力軸上にカムが取り付けられており、ピン牽引板はカムと組み合わされ、かつカムによってＹ軸方向の前後の変位を実現しており、ピン牽引板のピン寄りの片端にはピン挿入溝孔が開設され、ピン挿入溝孔の孔径はピンの直径より大きく、Ｙ軸方向に沿って固定フレーム上に前後２つのリミットスイッチが取り付けられ、両リミットスイッチ及びモータはいずれも紙プラスチック袋カッティング・シーリング一体機の制御システムに連結されている。カムによりモータ出力軸の回転動作をピン牽引板のＹ軸方向に沿った前後移動に転換することができ、ピン牽引板上のピン挿入溝孔内のピン及び摺動ブロックは、ピン牽引板とともに前後に移動する。該ピントグル機構によるカッター位置の調節の具体的プロセスは以下の通りである。
【００１５】
カッターを後方から前方に（Ｙ軸方向に沿って）調節する必要がある場合は、まず摺動フレームをピン牽引板の片側に移動させ、摺動ブロック上のピンをピン牽引板前端のピン挿入溝孔内に挿入する（正常ではない状況で、摺動ブロックの片側のピンが横方向上でピン牽引板前端のピン挿入溝孔と非同軸状態であれば、摺動フレームがピン牽引板の片側まで動いた時に、摺動ブロック上面のピンがピン牽引板前端のピン挿入溝孔内に伸入することができない。この時は、モータを起動させて、ピン牽引板をモータによって動かし、最終的にピンをピン挿入溝孔内に伸入させる必要がある）。その後、制御システムによりモータを起動させ、カムによってピン牽引板を前向きに移動させると、ピン牽引板が最前方まで移動した時、摺動ブロック上のバネ位置決め柱がちょうど連結軸前部の係止溝位置まで進み、かつ該係止溝内に跳び込む。それと同時に、ピン牽引板の後端がちょうど前方のリミットスイッチの位置に到達し、この時、該リミットスイッチが、信号を紙プラスチック袋カッティング・シーリング一体機の制御システムに伝送し、制御システムがモータを停止させると、摺動ブロックが移動を停止し、カッターの位置決めが実現される。カッターを前方から後方に調節する必要がある場合も、まず摺動フレームをピン牽引板の片側に移動させ、ピンをピン挿入溝孔内に挿入し（上記と同様、正常ではない状況では、モータを起動させ、ピンをピン挿入溝孔内に伸入させる必要がある）、その後、モータを起動してピン牽引板を最後方まで移動させる。この時、摺動ブロック上のバネ位置決め柱が連結軸後部の係止溝内に跳び込み、同時にピン牽引板の後端がちょうど後方のリミットスイッチの位置に到達するので、制御システムがモータを停止させ、カッターの位置決めを行う。
【００１６】
好適には、前記リミットスイッチには接触スイッチが採用されており、ピン牽引板の上面には凹溝が開設され、ピン牽引板がＹ軸方向に沿って後ろ向きに後方の接触スイッチまで移動すると、前方の接触スイッチがちょうど上記凹溝内に来る。
【００１７】
好適には、前記カムには偏心輪が採用されており、ピン牽引板上には偏心輪と整合する偏心輪孔が設けられ、偏心輪は軸受を介して偏心輪孔内に組み込まれており、偏心輪によりモータ出力軸の回転動作をピン牽引板のＹ軸方向に沿った前後移動に転換することができる。
【００１８】
好適には、前記ピン牽引板の摺動フレーム寄りの板面上には、固定部材を介してバネの片端が固定されており、バネの他端は紙プラスチック袋カッティング・シーリング一体機のケーシング上に取り付けられている。
【００１９】
好適には、紙プラスチック袋カッティング・シーリング一体機のケーシング上には斜め上向きの案内板及び光電スイッチが取り付けられており、光電スイッチは紙プラスチック袋カッティング・シーリング一体機の制御システムに連結されており、摺動フレームの案内板寄りの片側には外凸板があり、摺動ブロックが、案内板に沿って、カッターの切断面が紙プラスチック袋カッティング・シーリング一体機の紙送り装置内の紙プラスチック袋所在平面（紙プラスチック袋が存在する平面）より高い位置まで移動すると、光電スイッチが外凸板を感知することができる。実際の応用では、摺動ブロック下部の、後板に近接する位置にローラを取り付けることができる。紙プラスチック袋カッティング・シーリング一体機を採用してシーリング操作のみを行う場合は、カッターが誤って未シールの紙プラスチックテープに当たり、紙プラスチックテープを損壊することを防止するために、本好適な手段によりカッター位置の上方変位を実現して、カッターの切断面を紙送り装置内の紙プラスチック袋の所在平面より高くすることができる。その具体的な動作は次の通りである。制御システムにより水平変位駆動機構を起動させ、カッティング装置全体をＸ軸に沿って案内板の方向へ移動させる。案内板のある位置まで移動した時、ローラを有する摺動ブロックが案内板に沿って斜め上方に移動し、摺動ブロック上のカッターの位置を上昇させ（Ｚ軸方向に沿って移動）、カッターの切断面を紙送り装置内の紙プラスチック袋の所在平面より高くする。この時、光電スイッチが外凸板を感知し、かつ該信号を制御システムに出力すると、制御システムが水平変位駆動機構の動作を停止させるので、最終的にカッティング装置全体の移動が止まる。
【００２０】
本発明では、摺動ブロックの頂部に弾性部材を取り付けることができ、カッターが案内板に沿って移動する過程では、弾性部材が圧縮状態となる。そのうち、弾性部材にはスプリングボールを採用してもよいし、バネなどを採用してもよい。カッターによってカッティング動作を行う必要がある場合は、制御システムにより水平変位駆動機構を起動させ、カッティング装置全体をＸ軸に沿って案内板から離れる方向に移動させると、移動の過程で、弾性部材が自身の弾力作用により摺動ブロックに下向きの作用力を与え、摺動ブロックに弾性部材の作用下で連結軸周りを偏移させ、カッターが開始位置（即ちカッティング状態におけるカッターの所在位置）に復帰するまでカッターの位置を下げる。
【００２１】
本発明のカッターには、円形バイトを採用することができ、円形バイトは緊締部材により摺動ブロック上に取り付けられる。通常の場合、カッターを一定時間使用すると、鈍ったり、磨耗したりするので、従来のカッターを採用した場合、定期的にカッターを交換する必要があるが、本手段では、円形バイトを採用することでカッターの使用寿命が大幅に延長される。円形バイトのよく使うカッティング面が損傷した場合、緊締部材を緩めて円形バイトを回転させてカッティング面を変え、最後に緊締部材で円形バイトをロックすることで、カッターを交換する必要がなくなる。そのうち、緊締部材にはネジ、ボルトなどの通常の部品を採用することができる。
【００２２】
本発明を既存技術と比較した場合、以下のような有益な効果がある。
【００２３】
１．本カッティング装置は設計構造に優れており、カッターをＹ軸方向に沿って前後に移動可能な摺動ブロック上に取り付けることで、カッターの位置を調節し、紙プラスチック袋カッティング・シーリング一体機を、従来のシーリング位置の外側に番号が打たれている紙プラスチック袋に適用させることができるだけでなく、シーリング位置の外側に番号を打つ必要のない紙プラスチック袋にも適用させることができ、しかもシーリング位置の外側に番号を打つ必要のない紙プラスチック袋をカッティングする際に、従来の紙プラスチック袋カッティング・シーリング一体機におけるカッティング装置の位置の固定による紙プラスチック袋材料の大量浪費という難題を有効に克服し、生産コストを引き下げることもできる。
【００２４】
２．本カッティング装置内のカッターは、斜め上向きの案内板の作用により位置を上方変位することができ（即ちカッターがＺ軸方向に沿って移動する）ので、紙プラスチック袋カッティング・シーリング一体機を採用してシーリング操作のみを行う場合に、カッターが誤って未シールの紙プラスチックテープに当たり、紙プラスチックテープを損壊することを有効に防止することができる。
【図面の簡単な説明】
【００２５】
【図１】図１は、ピントグル機構を省略した本発明の立体図である。
【図２】図２は、図１の正面図である。
【図３】図３は、上圧板の構造概略図である。
【図４】図４は、本発明を紙プラスチック袋カッティング・シーリング一体機に応用した立体図である。
【図５】図５は、本発明を紙プラスチック袋カッティング・シーリング一体機に応用した正面構造概略図である。
【図６】図６は、図５のＩ部位の部分拡大図である。
【図７】図７は、本発明を紙プラスチック袋カッティング・シーリング一体機に応用した左側構造概略図である。
【図８】図８は、図２のＡ−Ａ断面図である。
【符号の説明】
【００２６】
図中：１、上板；２、連結軸；３、固定部材取付孔；４、後板；５、摺動ブロック；６、ローラ；７、カッター；８、緊締部材；９、スプリングボール；１０、バネ位置決め柱；１１、ピン；１２、取付溝；１３、外凸板；１４、リミットスイッチ；１５、固定フレーム；１６、モータ；１７、カッティング装置；１８、水平変位駆動機構；１９、シーリング装置；２０、紙送り装置；２１、ピン牽引板；２２、基板；２３、水平シュート；２４、光電スイッチ；２５、案内板；２６、凹溝；２７、ピン挿入溝孔；２８、バネ；２９、軸受；３０、偏心輪；３１、ナット；３２、柱体；３３、受圧バネ；３４、位置決めボール；３５、係止溝；３６、調整ボルト；３７、ナット。
【発明を実施するための形態】
【００２７】
以下では、図面と結び付けて、本発明の実施例に対してさらなる説明を行う。
【００２８】
図１、図２、図３、図８は、紙プラスチック袋カッティング・シーリング一体機のカッティング装置の構造概略図であり、該カッティング装置の構造は以下の通りである。
【００２９】
カッティング装置は、摺動フレーム及びカッター７を含み、摺動フレームは水平変位駆動機構１８と連結され、摺動フレームは上板１と後板４がＬ字形に連結されており（もちろん、直接一体圧縮成型してもよい）、摺動ブロック５は連結軸２を介して後板４上に取り付けられ、かつ連結軸２に沿って前後に摺動可能であり、長手方向に沿って、連結軸２上には前後２つの係止溝３５が設けられている。摺動ブロック５上にはバネ位置決め柱１０が取り付けられ、バネ位置決め柱１０の頂端は摺動ブロック５の連結軸の軸孔の孔壁を貫通して連結軸２に当接している。上板１上には調整ボルト３６が取り付けられ、調整ボルト３６の上板１上方の部分にはナット３７が取り付けられており、調整ボルト３６の下端は摺動ブロック５上に当接しており、調整ボルト３６によって摺動ブロック５の位置を調節し、さらにカッター７の高さを調整する作用も果たすことができる。摺動ブロック５の下部にはローラ６が取り付けられており、ローラ６の位置は後板４に近接している。カッター７には円形バイトが採用され、円形バイトは緊締部材８により摺動ブロック５上に取り付けられ、摺動ブロック５とともに移動し、円形バイトの最低位置は摺動ブロック５の底面より低い。本実施例のバネ位置決め柱には、図８に示すような構造を採用することができ、具体的には、柱体３２と、受圧バネ３３と、位置決めボール３４を含み、柱体３２は外から内に向かって摺動ブロック５内にねじ込まれ、その下部はナット３１によって緊締されており、柱体３２の上部には、内部に受圧バネ３３が設置された取付溝が開設されており、受圧バネ３３の上端には連結軸２に当接する位置決めボール３４が取り付けられており、位置決めボール３４の直径は連結軸２上の係止溝３５の深さより大きい。摺動ブロック５の左端にはピン１１が設けられ、ピン１１に対応してピントグル機構が設けられており、ピントグル機構は図１、図２及び図８には記されていない。
【００３０】
図４〜図７は、上記のカッティング装置を紙プラスチック袋カッティング・シーリング一体機に応用した構造概略図であり、そのうち、カッティング装置１７は水平変位駆動機構１８上に取り付けられており、水平変位駆動機構１８を起動すると、カッティング装置１７がＸ軸方向に沿って紙プラスチック袋材料のカッティングを行い、カッティング後に得られる紙プラスチック袋は、紙送り装置２０内の２つのベルトコンベアのベルトによって動かされ、Ｘ軸方向に沿って右側のシーリング装置１９に進入し、シーリングが行われる。こうして、該紙プラスチック袋カッティング・シーリング一体機により、紙プラスチック袋のカッティング、シーリングの一連の動作を実現することができるのである。
【００３１】
本実施例において、
水平変位駆動機構１８はプーリ伝動機構を採用しており、摺動フレームは上圧板（その構造は図３の通り）をさらに含み、上圧板は上板１の上方に位置し、上圧板上には、プーリ伝動機構中の伝動ベルトと組み合わせるための取付溝１２が設置されており、伝動ベルトは上圧板と上板１の間に配置され、上圧板及び上板１上には位置が対応する固定部材取付孔３が設けられ、固定部材取付孔３には固定部材が取り付けられて、上圧板と上板１を連結固定している。伝動ベルトがカッティング装置１７をＸ軸方向に沿って移動させることにより、紙プラスチック袋のカッティングを遂行する。プーリ伝動機構の後方には、水平シュート２３が設けられた基板２２が取り付けられており、摺動フレームの後板４の背面には摺動ブロックが設置され、摺動ブロックは水平シュート２３内に位置し、かつ水平シュート２３内でＸ軸方向に沿って左右に摺動可能であり、水平シュート２３は摺動フレームに対して良好な案内作用を果たしている。
【００３２】
ピントグル機構は、ピン牽引板２１と、カムと、モータ１６と、固定フレーム１５を含み、モータ１６は固定フレーム１５上に取り付けられ、モータ１６の出力軸上にはカムが取り付けられており、本実施例では、カムには偏心輪３０が採用されており、ピン牽引板２１上には偏心輪３０と整合する偏心輪孔が設けられ、偏心輪３０は軸受２９を介して偏心輪孔内に組み込まれており、偏心輪３０によりモータ１６出力軸の回転動作がピン牽引板２１のＹ軸方向に沿った前後移動に転換される。ピン牽引板２１のピン１１寄りの片端にはピン挿入溝孔２７が開設されており、ピン挿入溝孔２７の孔径はピン１１の直径より大きく、カッター７の位置を調節する前に、摺動ブロック５上のピン１１をピン牽引板２１前端のピン挿入溝孔２７内に挿入して、カッター７がピン牽引板２１の前後移動に伴って位置を変えることを確保しなければならず、正常ではない状況で、摺動ブロック５の左側のピン１１が横方向上でピン牽引板２１前端のピン挿入溝孔２７と非同軸状態であれば、摺動フレームが最も左側の位置まで動いた時に、摺動ブロック５上面のピン１１がピン牽引板２１前端のピン挿入溝孔２７内に伸入することができないので、この時は、モータ１６を起動させて、最終的にピン牽引板２１をモータ１６によって動かし、ピン１１をピン挿入溝孔２７内に伸入させる必要がある。Ｙ軸方向に沿って固定フレーム１５上に前後２つのリミットスイッチ１４が取り付けられており、両リミットスイッチ１４及びモータ１６は、いずれも紙プラスチック袋カッティング・シーリング一体機の制御システムに連結されている。リミットスイッチ１４には通常の接触スイッチを採用することができ、ピン牽引板２１の上面には凹溝２６が開設され、ピン牽引板２１がＹ軸方向に沿って後ろ向きに後方の接触スイッチまで移動すると、前方の接触スイッチがちょうど上記凹溝２６内に来る。ピン牽引板２１の摺動フレーム寄りの板面上には、固定部材を介してバネ２８の片端が固定されており、バネ２８の他端は紙プラスチック袋カッティング・シーリング一体機のケーシング上に取り付けられている。
【００３３】
紙プラスチック袋カッティング・シーリング一体機のケーシング上には、斜め上向きの案内板２５及び光電スイッチ２４が取り付けられており、光電スイッチ２４は紙プラスチック袋カッティング・シーリング一体機の制御システムに連結されており、上圧板の案内板２５寄りの片側には外凸板１３があり（外凸板１３は摺動フレームの他の構造上、例えば上板１の案内板２５寄りの片側に設けることもできる）、摺動ブロック５が、案内板２５に沿って、カッター７の切断面が紙プラスチック袋カッティング・シーリング一体機の紙送り装置２０内の紙プラスチック袋所在平面より高い位置まで移動すると、光電スイッチ２４が外凸板１３感知することができる。紙プラスチック袋カッティング・シーリング一体機を採用してシーリング操作のみを行う場合は、本手段によりカッター７の位置を上方変位させることができ、それによりカッター７が誤って未シールの紙プラスチックテープに当たり、紙プラスチックテープを損壊することを有効に防止することができる。
【００３４】
本発明の前記カッティング装置１７により、カッター７のＸ軸、Ｙ軸、Ｚ軸の３方向に沿った移動を実現することができる。
【００３５】
（１）プーリ伝動機構の伝動ベルトに動かされることで、カッター７はＸ軸方向に沿って左右に移動することができ、
（２）ピントグル機構の作用下で、カッター７はＹ軸方向に沿って前後に移動することができる。具体的なプロセスは次の通り。
【００３６】
カッター７を前方から後方に（Ｙ軸方向に沿って）調節する必要がある場合は、まず摺動フレームをピン牽引板２１の左側まで移動させ、摺動ブロック５上のピン１１をピン牽引板２１前端のピン挿入溝孔２７内に挿入し、その後、制御システムによりモータ１６を起動させ、偏心輪３０によってピン牽引板２１を後ろ向きに移動させると、ピン牽引板２１が最後方まで移動した時、摺動ブロック５上のバネ位置決め柱１０がちょうど連結軸２後部の係止溝３５位置まで進み、かつ該係止溝３５内に跳び込む。それと同時に、ピン牽引板２１の後端がちょうど後方のリミットスイッチ１４の位置に到達し、この時、該リミットスイッチ１４が信号を紙プラスチック袋カッティング・シーリング一体機の制御システムに伝送し、制御システムがモータ１６停止させると、摺動ブロック５が移動を停止し、カッター７の位置決めが実現される。カッター７が該位置にある時、本カッティング装置を、シーリング位置の外側に番号が打たれている従来の紙プラスチック袋のカッティングに用いることができる。カッティングが必要な紙プラスチック袋のシーリング位置の外側に番号を打つ必要がない場合は、カッター７を後方から前方に調節する必要があり、操作前に、やはり摺動フレームをピン牽引板２１の片側まで移動させ、ピン１１をピン挿入溝孔２７内に挿入し、その後、モータ１６を起動してピン牽引板２１を最前方まで移動させなければならない。この時、摺動ブロック５上のバネ位置決め柱１０が連結軸２前部の係止溝３５内に跳び込み、それと同時に、ピン牽引板２１の後端がちょうど前方のリミットスイッチ１４の位置に到達し、制御システムがモータ１６を停止させ、カッター７を位置決めする。このようにして、カッター７の位置（即ちカッティング位置）が前に移動するので、カッティング後の紙プラスチック袋上のシーリング位置と紙プラスチック袋辺縁との間の距離が小さくなり、従来の紙プラスチック袋カッティング・シーリング一体機におけるカッティング装置の位置の固定による紙プラスチック袋材料の大量浪費という難題を有効に克服し、生産コストを引き下げている。
【００３７】
（３）斜め上向きの案内板２５の作用により、カッター７はＺ軸方向に沿って上下に移動することができる。具体的なプロセスは次の通り。
【００３８】
制御システムにより水平変位駆動機構１８を起動させ、カッティング装置１７全体をＸ軸に沿って案内板２５の方向へ移動させると、案内板２５のある位置まで移動した時、ローラ６を有する摺動ブロック５が案内板２５に沿って斜め上向きに移動し、摺動ブロック５上のカッター７の位置を上昇させ（Ｚ軸方向に沿って移動）、カッター７の切断面を紙送り装置２０内の紙プラスチック袋の所在平面より高くする。この時、光電スイッチ２４が外凸板１３を感知し、かつ該信号を制御システムに出力するので、制御システムが水平変位駆動機構１８の動作を停止させ、最終的にカッティング装置１７全体の移動が止まる。カッティング装置を用いて紙プラスチック袋材料をカッティングする必要がある場合は、制御システムにより水平変位駆動機構１８を起動させ、カッティング装置１７全体をＸ軸方向とは逆の方向（即ち、案内板２５から遠ざかる方向）に沿って移動させればよい。
【００３９】
具体的に応用する場合は、摺動ブロック５の頂部にスプリングボール９を取り付けることもでき、カッター７が案内板２５に沿って移動する過程で、スプリングボール９が圧縮状態となる。カッター７でカッティング動作を行う必要がある場合は、制御システムにより水平変位駆動機構１８を起動させ、カッティング装置１７全体をＸ軸に沿って案内板２５から離れる方向へ移動させると、移動の過程で、スプリングボール９が自身の弾力作用により摺動ブロック５に下向きの作用力を与え、摺動ブロック５にスプリングボール９の作用下で連結軸２の周りを下向きに偏移させ、カッターが開始位置（即ちカッティング状態におけるカッター７の所在位置）に復帰するまでカッターの位置を下げる。
【図１】
2019509901.tif 000003
【図２】
2019509901.tif 000004
【図３】
2019509901.tif 000005
【図４】
2019509901.tif 000006
【図５】
2019509901.tif 000007
【図６】
2019509901.tif 000008
【図７】
2019509901.tif 000009
【図８】
2019509901.tif 000010
【国際調査報告】
2019509901.tif 000011
2019509901.tif 000012
2019509901.tif 000013
2019509901.tif 000014